(57)【要約】【課題】共通電極の電位を典型的には固定して補助容量線を駆動する液晶表示装置において、画素電極と補助容量線との短絡によっても輝点が生じない液晶表示装置を提供する。【解決手段】映像信号線に印加される電圧信号である映像信号Ｓ（ｍ）は、０Ｖから４Ｖまでの画素の輝度に応じた所定の電圧値で変化し、共通電位Ｖｃｏｍはその中点電圧である２Ｖであり、補助容量線駆動信号Ｃｓ（ｎ）のうちその基準となる（中央の）ベース電位を共通電位Ｖｃｏｍと同一に設定し、このベース電位から７Ｖまたは−３Ｖに変化させることにより、画素形成部Ｐ（ｎ，ｍ）の画素電極電位を変化させる。よって、画素電極と補助容量線との短絡不良が生じる場合であっても、補助容量線の電位が共通電位Ｖｃｏｍと同一であるほとんどの期間において輝点が表示されず、表示装置の表示品位を高めることができる。【選択図】図３
2008164667.tif 000002
【特許請求の範囲】
【請求項１】
所定の画像を表示するために装置外部から与えられる画像信号に対応する複数の映像信号を伝達するための複数の映像信号線を駆動する映像信号線駆動回路と、前記複数の映像信号線と交差する複数の走査信号線を駆動する走査信号線駆動回路と、前記複数の走査信号線に沿って対応するよう配される複数の補助容量線を駆動する補助容量線駆動回路と、前記複数の映像信号線と前記複数の走査信号線とに沿ってマトリクス状に配置される複数の画素形成部と、前記複数の画素形成部に共通的な電位を与える共通電極とを備える液晶表示装置であって、
前記複数の画素形成部のぞれぞれは、前記複数の映像信号線のうち対応する映像信号線に繋がる電極であって、対応する補助容量線との間に所定の補助容量が形成され、前記共通電極との間に液晶が介在する画素電極を含み、
前記補助容量線駆動回路は、前記複数の補助容量線を全期間中または所定期間を除く期間中前記共通電極の電位近傍の値で、かつ対応する走査信号線が前記走査信号線駆動回路によって選択された後の所定時点において、対応する画素電極と前記共通電極との電位差を変動させるように駆動する、液晶表示装置。
【請求項２】
前記補助容量線駆動回路は、前記複数の補助容量線を対応する走査信号線が前記走査信号線駆動回路によって選択された後の所定時点において前記共通電極の電位より大きい第１の電位または小さい第２の電位から前記共通電極の電位近傍の所定のベース電位へ変化させることにより、対応する画素電極と前記共通電極との電位差を変動させるように駆動することを特徴とする、請求項１に記載の液晶表示装置。
【請求項３】
前記補助容量線駆動回路は、前記ベース電位と前記共通電極の電位との差が前記液晶のしきい電圧以下となるよう、前記ベース電位を定めることを特徴とする、請求項２に記載の液晶表示装置。
【請求項４】
前記補助容量線駆動回路は、前記共通電極の電位と略一致するよう前記ベース電位を定めることを特徴とする、請求項２に記載の液晶表示装置。
【請求項５】
前記共通電極に前記共通的な電位を与えるとともに、当該共通的な電位の値を調整可能である電源をさらに備え、
前記補助容量線駆動回路は、前記電源から与えられる前記共通的な電位に基づき前記ベース電位を定めることを特徴とする、請求項４に記載の液晶表示装置。
【請求項６】
前記共通電極の電位近傍であって当該電位より大きい第１の電源電位およびより小さい第２の電源電位を与える電源と、
前記電源から与えられる前記第１および第２の電源電位の間で前記共通電極の電位を調整し、調整された電位を前記共通電極に前記共通的な電位として与える調整部とをさらに備え、
前記補助容量線駆動回路は、前記電源から与えられる前記第１および第２の電源電位のいずれか一方に基づき前記ベース電位を定めることを特徴とする、請求項２に記載の液晶表示装置。
【請求項７】
前記補助容量線駆動回路は、前記複数の補助容量線を対応する走査信号線が前記走査信号線駆動回路によって選択された後の所定時点において、前記共通電極の電位近傍の所定の第１の電位から前記共通電極の電位近傍の所定の第２の電位へ、または前記第２の電位から前記第１の電位へ変化させることにより、対応する画素電極と前記共通電極との電位差を変動させるように駆動することを特徴とする、請求項１に記載の液晶表示装置。
【請求項８】
前記補助容量線駆動回路は、前記第１の電位と前記共通電極の電位との差および前記第２の電位と前記共通電極の電位との差がともに前記液晶のしきい電圧以下となるよう、前記第１および第２の電位を定めることを特徴とする、請求項７に記載の液晶表示装置。
【請求項９】
前記共通電極の電位近傍であって当該電位より大きい第１の電源電位およびより小さい第２の電源電位を与える電源と、
前記電源から与えられる前記第１および第２の電源電位の間で前記共通電極の電位を調整し、調整された電位を前記共通電極に前記共通的な電位として与える調整部とをさらに備え、
前記補助容量線駆動回路は、前記電源から与えられる前記第１および第２の電源電位の少なくとも一方に基づき前記第１および第２の電位の少なくとも一方を定めることを特徴とする、請求項７に記載の液晶表示装置。
【請求項１０】
所定の画像を表示するために装置外部から与えられる画像信号に対応する複数の映像信号を伝達するための複数の映像信号線と、前記複数の映像信号線と交差する複数の走査信号線と、前記複数の走査信号線に沿って対応するよう配される複数の補助容量線と、共通的な電位を与える共通電極と、前記複数の映像信号線と前記複数の走査信号線とに沿ってマトリクス状に配置され前記複数の映像信号線のうち対応する映像信号線に繋がる電極であって対応する補助容量線との間に所定の補助容量が形成され前記共通電極との間に液晶が介在する画素電極を含む複数の画素形成部とを備える液晶表示装置を駆動する方法であって、
前記複数の映像信号線を駆動する映像信号線駆動ステップと、
前記複数の走査信号線を駆動する走査信号線駆動ステップと、
前記複数の補助容量線を駆動する補助容量線駆動ステップとを備え、
前記補助容量線駆動ステップでは、前記複数の補助容量線を全期間中または所定期間を除く期間中前記共通電極の電位近傍の値で、かつ対応する走査信号線が前記走査信号線駆動ステップにおいて選択された後の所定時点において、対応する画素電極と前記共通電極との電位差を変動させるように駆動することを特徴とする、液晶表示装置の駆動方法。
【発明の詳細な説明】
【技術分野】
【０００１】
本発明は、薄膜トランジスタ等のスイッチング素子を用いたアクティブマトリクス型液晶表示装置およびその駆動方法に関し、より詳しくは補助容量線への印加電圧を変化させることにより補助容量線を駆動する液晶表示装置およびその駆動方法に関する。
【背景技術】
【０００２】
一般的な従来のアクティブマトリクス型の液晶表示装置の表示部は、複数（Ｎ本）の走査信号線ＧＬ（１）〜ＧＬ（Ｎ）と、当該複数の走査信号線に交差する複数（Ｍ本）の映像信号線ＳＬ（１）〜ＳＬ（Ｍ）と、当該複数の走査信号線と当該複数の映像信号線との交差点にそれぞれ対応してマトリクス状の配置された複数（Ｎ×Ｍ個）の画素形成部Ｐ（１，１）〜Ｐ（Ｎ，Ｍ）とを備えており、各画素形成部は、後述する図２に示されるように、画素電極とそれに対向する電極（「共通電極」とも呼ばれる）とによって形成される液晶容量（「画素容量」ともいう）Ｃｌｃを含んでいる。各画素電極には、それを挟むように２本の映像信号線ＳＬ（ｍ），ＳＬ（ｍ＋１）が配設されており、映像信号線ＳＬ（ｍ）がＴＦＴ１０を介して当該画素電極に接続されている。
【０００３】
また、この液晶表示装置では、後述する図１に示されるように、各走査信号線ＧＬ（ｎ）と平行に複数（Ｎ本）の補助容量線ＣｓＬ（ｎ）が形成されており、各画素形成部Ｐ（ｎ，ｍ）では、画素電極と補助容量線ＣｓＬ（ｎ）との間に補助容量Ｃｃｓが形成されている。
【０００４】
上記のようなアクティブマトリクス型の液晶表示装置では、各画素形成部Ｐ（ｎ，ｍ）において、画素電極に接続されるＴＦＴ１０がオン状態（導通状態）のとき、映像信号線ＳＬ（ｍ）からＴＦＴ１０を介して電圧が印加され、そのＴＦＴ１０がオフ状態（遮断状態）になると、その印加電圧が画素容量Ｃｌｃ（および補助容量Ｃｃｓ）に保持され、その保持電圧に応じて画素が表示される（ｎ＝１，２，…，Ｎ；  ｍ＝１，２，…，Ｍ）。
【０００５】
ここで、この従来の液晶表示装置では、ＴＦＴ１０がオフ状態となった後、補助容量線ＣｓＬ（ｎ）への印加電圧を変化させることにより、（一定電圧Ｖｃｏｍを印加されている）共通電極を基準とした画素電極の電位を変化させる。このような電位変化について図８を参照して詳しく説明する。
【０００６】
図８は、従来の液晶表示装置における各種信号の波形図である。図８に示されるように、映像信号線ＳＬ（ｍ）に印加される電圧信号である映像信号Ｓ（ｍ）は、０Ｖから４Ｖまでの画素の輝度に応じた所定の電圧値を有している。図中では映像信号Ｓ（ｍ）の電圧値は、最高輝度（白輝度）に対応する電圧値となっている。このように、映像信号Ｓ（ｍ）における最も低い電圧を０Ｖとすることにより、全体として消費電力を抑えることができる。
【０００７】
ここで、液晶層の経時劣化を防止するために交流駆動を行う必要から、共通電極の電位Ｖｃｏｍが固定される場合、その共通電位Ｖｃｏｍは映像信号の（変化幅における）中点電圧に設定されることが多い。そうすれば、共通電極の電位を基準とした画素電極の電位を交流化することができるからである。ここでも共通電位Ｖｃｏｍは２Ｖに設定されている。
【０００８】
もっとも、ノーマリブラック型の液晶表示装置においてその液晶層の透過率を最大にするためには通常４〜５Ｖ程度の印加電圧が必要となる。よって、上記構成のままでは印加電圧が±２Ｖの範囲となって十分とはいえない。この点、映像信号Ｓ（ｍ）を例えば０Ｖから１０Ｖまで変化させる構成であれば十分な印加電圧を得ることはできるが、消費電力が大きく増加する。そこで、この従来の液晶表示装置では、補助容量線ＣｓＬ（ｎ）を駆動することにより、画素電極の電位を変化させる。すなわち、後述する図２に示される接続関係からわかるように、画素電極Ｅｐｉｘの電位は、共通電極Ｅｃｏｍを基準とするとき、補助容量線ＣｓＬ（ｎ）の電位変化に対して画素容量値と補助容量値との和に対する補助容量の割合に応じて変化する。例えば図８に示されるように、画素容量値Ｃｌｃ：補助容量値Ｃｃｓ＝２：３のとき、補助容量線に与えられる信号（以下この信号を「補助容量線駆動信号」という）Ｃｓ（ｎ）の電位が５Ｖだけ変化すると、画素電極Ｅｐｉｘの電位は３Ｖだけ変化する。
【０００９】
したがって、図８に示されるように、画素形成部Ｐ（ｎ，ｍ）の画素電極電位は、走査信号Ｇ（ｎ）が（ＴＦＴ１０をオンさせる）アクティブ状態から非アクティブ状態となった時点において４Ｖに保持されるが、その後の補助容量線駆動信号Ｃｓ（ｎ）の上記電位変化によりさらに３Ｖ上昇して７Ｖとなっている。したがって、共通電位Ｖｃｏｍが２Ｖであることから、この時点での液晶層への印加電圧は５Ｖとなる。このような電位変化は前述したように最高輝度（白輝度）で画素表示を行う場合であるが、図示されていない最低輝度（黒輝度）で画素表示を行う場合にも同様である。すなわち、この場合における画素形成部Ｐ（ｎ，ｍ）の画素電極電位は、走査信号Ｇ（ｎ）が非アクティブ状態となった時点において０Ｖに保持されるが、その後の補助容量線駆動信号Ｃｓ（ｎ）の上記電位変化により３Ｖ上昇した結果３Ｖとなる。したがって、共通電位Ｖｃｏｍが２Ｖであることから、この時点での液晶層への印加電圧は１Ｖとなる。この電圧値は液晶分子が駆動されるしきい電圧値に満たないので液晶層の光の透過率が０となり、黒表示として適切な値となっている。以上の動作は、極性が反転される次行の画素形成部Ｐ（ｎ＋１，ｍ）の画素電極電位および次フレームの画素形成部Ｐ（ｎ，ｍ）においても同様である。
【００１０】
このように補助容量線の電位は、画素電極の極性に応じて０Ｖを基準に５Ｖまたは−５Ｖに変化するように、その電位の種類は０Ｖ、５Ｖ、−５Ｖに設定されており、基準となる電圧が０Ｖに設定されていることにより、全体として消費電力を抑えることができる。このように補助容量線を駆動する動作を行う従来の液晶表示装置は、例えば以下の特許文献１〜３に示されている。
【特許文献１】特開平１−８８４９６号公報
【特許文献２】特開平２−１５７８１５号公報
【特許文献３】特開２００１−８３９４３号公報
【発明の開示】
【発明が解決しようとする課題】
【００１１】
しかし、ノーマリブラック型である上記従来の液晶表示装置において、画素電極と補助容量線との短絡不良が生じる場合、補助容量線を共通電極とともに駆動する従来の液晶表示装置よりも目立った表示不良が生じる。
【００１２】
すなわち、補助容量線を共通電極とともに駆動する従来の液晶表示装置では、画素電極と補助容量線とが短絡しても、画素電極と共通電極との電位差が生じないので常に黒を表示する黒点として表示されるにすぎない。よって、その表示不良が視認されにくく、また使用者に不快感を与えにくい。このような短絡は、画素電極とゲート絶縁膜を介して静電容量（補助容量）が形成されるように補助容量線が走査線と同じ層に設けられる製造工程においてゲート絶縁膜がまれに欠損することにより生じることがあるので、このような短絡不良が生じた場合にも目立った表示不良が生じないことは表示品位を高めるために重要である。
【００１３】
これに対して、共通電極の電位を固定して補助容量線のみを駆動する（ノーマリブラック型の）上記従来の液晶表示装置では、画素電極と補助容量線との短絡不良が生じる場合、共通電極と補助容量線との電位差が常に生じる。例えば、共通電位Ｖｃｏｍが２Ｖであれば、補助容量線の電位が０Ｖであるほとんどの期間において２Ｖの電位差が生じる。したがって、この短絡不良によりほとんどの期間において、当該短絡部分に（所定輝度の）輝点が表示されることになる。この輝点は視認されやすく、使用者に不快感を与えやすいため、装置の表示品位を低下させる。
【００１４】
そこで本発明は、共通電極の電位を典型的には固定して補助容量線を駆動する液晶表示装置において、画素電極と補助容量線との短絡不良によっても上記輝点が生じないまたは視認されにくい液晶表示装置を提供することを目的とする。
【課題を解決するための手段】
【００１５】
第１の発明は、所定の画像を表示するために装置外部から与えられる画像信号に対応する複数の映像信号を伝達するための複数の映像信号線を駆動する映像信号線駆動回路と、前記複数の映像信号線と交差する複数の走査信号線を駆動する走査信号線駆動回路と、前記複数の走査信号線に沿って対応するよう配される複数の補助容量線を駆動する補助容量線駆動回路と、前記複数の映像信号線と前記複数の走査信号線とに沿ってマトリクス状に配置される複数の画素形成部と、前記複数の画素形成部に共通的な電位を与える共通電極とを備える液晶表示装置であって、
前記複数の画素形成部のぞれぞれは、前記複数の映像信号線のうち対応する映像信号線に繋がる電極であって、対応する補助容量線との間に所定の補助容量が形成され、前記共通電極との間に液晶が介在する画素電極を含み、
前記補助容量線駆動回路は、前記複数の補助容量線を全期間中または所定期間を除く期間中前記共通電極の電位近傍の値で、かつ対応する走査信号線が前記走査信号線駆動回路によって選択された後の所定時点において、対応する画素電極と前記共通電極との電位差を変動させるように駆動する。
【００１６】
第２の発明は、第１の発明において、
前記補助容量線駆動回路は、前記複数の補助容量線を対応する走査信号線が前記走査信号線駆動回路によって選択された後の所定時点において前記共通電極の電位より大きい第１の電位または小さい第２の電位から前記共通電極の電位近傍の所定のベース電位へ変化させることにより、対応する画素電極と前記共通電極との電位差を変動させるように駆動することを特徴とする。
【００１７】
第３の発明は、第２の発明において、
前記補助容量線駆動回路は、前記ベース電位と前記共通電極の電位との差が前記液晶のしきい電圧以下となるよう、前記ベース電位を定めることを特徴とする。
【００１８】
第４の発明は、第２の発明において、
前記補助容量線駆動回路は、前記共通電極の電位と略一致するよう前記ベース電位を定めることを特徴とする。
【００１９】
第５の発明は、第４の発明において、
前記共通電極に前記共通的な電位を与えるとともに、当該共通的な電位の値を調整可能である電源をさらに備え、
前記補助容量線駆動回路は、前記電源から与えられる前記共通的な電位に基づき前記ベース電位を定めることを特徴とする。
【００２０】
第６の発明は、第２の発明において、
前記共通電極の電位近傍であって当該電位より大きい第１の電源電位およびより小さい第２の電源電位を与える電源と、
前記電源から与えられる前記第１および第２の電源電位の間で前記共通電極の電位を調整し、調整された電位を前記共通電極に前記共通的な電位として与える調整部とをさらに備え、
前記補助容量線駆動回路は、前記電源から与えられる前記第１および第２の電源電位のいずれか一方に基づき前記ベース電位を定めることを特徴とする。
【００２１】
第７の発明は、第１の発明において、
前記補助容量線駆動回路は、前記複数の補助容量線を対応する走査信号線が前記走査信号線駆動回路によって選択された後の所定時点において、前記共通電極の電位近傍の所定の第１の電位から前記共通電極の電位近傍の所定の第２の電位へ、または前記第２の電位から前記第１の電位へ変化させることにより、対応する画素電極と前記共通電極との電位差を変動させるように駆動することを特徴とする。
【００２２】
第８の発明は、第７の発明において、
前記補助容量線駆動回路は、前記第１の電位と前記共通電極の電位との差および前記第２の電位と前記共通電極の電位との差がともに前記液晶のしきい電圧以下となるよう、前記第１および第２の電位を定めることを特徴とする。
【００２３】
第９の発明は、第７の発明において、
前記共通電極の電位近傍であって当該電位より大きい第１の電源電位およびより小さい第２の電源電位を与える電源と、
前記電源から与えられる前記第１および第２の電源電位の間で前記共通電極の電位を調整し、調整された電位を前記共通電極に前記共通的な電位として与える調整部とをさらに備え、
前記補助容量線駆動回路は、前記電源から与えられる前記第１および第２の電源電位の少なくとも一方に基づき前記第１および第２の電位の少なくとも一方を定めることを特徴とする。
【００２４】
第１０の発明は、所定の画像を表示するために装置外部から与えられる画像信号に対応する複数の映像信号を伝達するための複数の映像信号線と、前記複数の映像信号線と交差する複数の走査信号線と、前記複数の走査信号線に沿って対応するよう配される複数の補助容量線と、共通的な電位を与える共通電極と、前記複数の映像信号線と前記複数の走査信号線とに沿ってマトリクス状に配置され前記複数の映像信号線のうち対応する映像信号線に繋がる電極であって対応する補助容量線との間に所定の補助容量が形成され前記共通電極との間に液晶が介在する画素電極を含む複数の画素形成部とを備える液晶表示装置を駆動する方法であって、
前記複数の映像信号線を駆動する映像信号線駆動ステップと、
前記複数の走査信号線を駆動する走査信号線駆動ステップと、
前記複数の補助容量線を駆動する補助容量線駆動ステップとを備え、
前記補助容量線駆動ステップでは、前記複数の補助容量線を全期間中または所定期間を除く期間中前記共通電極の電位近傍の値で、かつ対応する走査信号線が前記走査信号線駆動ステップにおいて選択された後の所定時点において、対応する画素電極と前記共通電極との電位差を変動させるように駆動することを特徴とする。
【発明の効果】
【００２５】
上記第１の発明によれば、共通電極の電位を典型的には固定して（または大きく変動させることなく）補助容量線を駆動する液晶表示装置において、補助容量線を全期間中または所定期間を除く期間中前記共通電極の電位近傍の値で駆動するので、画素電極と補助容量線との短絡不良によっても当該短絡箇所に輝点が生じないまたは視認されにくい液晶表示装置を提供することができる。
【００２６】
上記第２の発明によれば、３段階に変化する各補助容量線の電位のうちその基準となるベース電位を共通電極の電位近傍値に設定することにより、画素電極と補助容量線との短絡不良が生じる場合であっても、補助容量線の電位がベース電位であるほとんどの期間において輝点が表示されずまたは視認されにくいので、表示装置の表示品位を高めることができる。
【００２７】
上記第３の発明によれば、ベース電位と共通電極の電位との差が液晶のしきい電圧以下であるので、ほとんどの期間において輝点が表示（視覚）されず、表示装置の表示品位を高めることができる。
【００２８】
上記第４の発明によれば、ベース電位と共通電極の電位とが略一致するのでほとんどの期間において輝点が完全に表示されず、表示装置の表示品位を高めることができる。
【００２９】
上記第５の発明によれば、共通電極の電位とベース電位とが調整可能である同一の電源から与えられるので、電源回路を共有することができ、電源回路の構成を簡易なものとすることができる。また、ベース電位を例えば装置毎に適宜に調整された共通電位と同一とすることにより、上記調整の程度にかかわらずどのような液晶表示装置においても表示品位を高めることができる。
【００３０】
上記第６の発明によれば、第１および第２の電源電位のいずれか一方に基づきベース電位が定められるので、新たにベース電位を生成する必要がなく、電源回路の構成を簡易なものとすることができる。また、第１および第２の電源電位は共通電極の電位を微調整するためのものであることが多いことから第１または第２の電源電位と共通電極の電位との差は液晶しきい電圧以下である場合が多く、その場合にはほとんどの期間において輝点が表示（視覚）されず、表示装置の表示品位を高めることができる。
【００３１】
上記第７の発明によれば、２段階に変化する各補助容量線の電位をともに共通電極の電位近傍値に設定することにより、画素電極と補助容量線との短絡不良が生じる場合であっても、全ての期間において輝点が表示されずまたは視認されにくいので、表示装置の表示品位を高めることができる。
【００３２】
上記第８の発明によれば、第１または第２の電位と共通電極の電位との差が液晶のしきい電圧以下であるので、輝点が表示（視覚）されず、表示装置の表示品位を高めることができる。
【００３３】
上記第９の発明によれば、第１および第２の電源電位の少なくとも一方に基づき第１および第２の電位の少なくとも一方を定めるので、少なくとも一方の電位を生成する必要がなく、電源回路の構成を簡易なものとすることができる。また、第１および第２の電源電位は共通電極の電位を微調整するためのものであることが多いことから第１または第２の電源電位と共通電極の電位との差は液晶しきい電圧以下である場合が多く、その場合には輝点が表示（視覚）されず、表示装置の表示品位を高めることができる。
【００３４】
上記第１０の発明によれば、上記第１の発明における効果と同様の効果を液晶表示装置の駆動方法において奏することができる。
【発明を実施するための最良の形態】
【００３５】
以下、本発明の各実施形態について添付図面を参照しつつ説明する。以下の説明では、表示部は垂直配向方式であってノーマリブラックとなるように構成されており、駆動方式としては、画素形成部の液晶部分に印加される電圧が隣り合う行毎に互いに逆極性となりさらにフレーム毎に逆極性となるいわゆるライン反転駆動方式が採用される。
【００３６】
＜１．    第１の実施形態＞
＜１．１  液晶表示装置の全体構成および動作＞
図１は、本発明の第１の実施形態に係るアクティブマトリクス型液晶表示装置の全体構成を示すブロック図である。この液晶表示装置は、表示制御回路２００、ソースドライバ（映像信号線駆動回路）３００、ゲートドライバ（走査信号線駆動回路）４００、および補助容量線駆動回路５００からなる駆動制御部と、表示部６００とを備えている。
【００３７】
表示部６００は、複数本（Ｍ本）の映像信号線ＳＬ（１）〜ＳＬ（Ｍ）と、複数本（Ｎ本）の走査信号線ＧＬ（１）〜ＧＬ（Ｎ）および補助容量線ＣｓＬ（１）〜ＣｓＬ（Ｎ）と、それら複数本の映像信号線ＳＬ（１）〜ＳＬ（Ｍ）と複数本の走査信号線ＧＬ（１）〜ＧＬ（Ｎ）とに沿って設けられた複数個（Ｍ×Ｎ個）の画素形成部を含んでいる。なお以下では、走査信号線ＧＬ（ｎ）と映像信号線ＳＬ（ｍ）との交差点に関連づけて当該交差点近傍（図では当該交差点の右下近傍）に設けられた画素形成部を参照符号“Ｐ（ｎ，ｍ）”で示すものとする。図２は、本実施形態の表示部６００における画素形成部Ｐ（ｎ，ｍ）の等価回路を示している。
【００３８】
これら図２に示すように、各画素形成部Ｐ（ｎ，ｍ）は、走査信号線ＧＬ（ｎ）またはその隣の走査信号線ＧＬ（ｎ＋１）にゲート端子が接続されるとともに当該交差点を通過する映像信号線ＳＬ（ｍ）またはその隣の映像信号線ＳＬ（ｍ＋１）にソース端子が接続されたスイッチング素子であるＴＦＴ１０と、そのＴＦＴ１０のドレイン端子に接続された画素電極Ｅｐｉｘと、上記複数個の画素形成部Ｐ（ｉ，ｊ）（ｉ＝１〜Ｎ、ｊ＝１〜Ｍ）に共通的に設けられた共通電極Ｅｃｏｍと、上記複数個の画素形成部Ｐ（ｉ，ｊ）（ｉ＝１〜Ｎ、ｊ＝１〜Ｍ）に共通的に設けられ画素電極Ｅｐｉｘと共通電極Ｅｃｏｍとの間に挟持された電気光学素子としての液晶層とによって構成される。
【００３９】
なお、各画素形成部Ｐ（ｎ，ｍ）は、赤色（Ｒ）、緑色（Ｇ）、青色（Ｂ）のいずれかの色を表示するものであって、図２に示すように、同じ色を表示する画素形成部Ｐ（ｎ，ｍ）が映像信号線ＳＬ（１）〜ＳＬ（Ｍ）に沿って配置されており、かつ走査信号線ＧＬ（１）〜ＧＬ（Ｎ）に沿った方向にＲＧＢの順で配置されている。
【００４０】
各画素形成部Ｐ（ｎ，ｍ）では、画素電極Ｅｐｉｘと、それに液晶層を挟んで対向する共通電極Ｅｃｏｍとによって液晶容量（「画素容量」ともいう）Ｃｌｃが形成されている。各画素電極Ｅｐｉｘには、それを挟むように２本の映像信号線ＳＬ（ｍ），ＳＬ（ｍ＋１）が配設されており、映像信号線ＳＬ（ｍ）がＴＦＴ１０を介して当該画素電極Ｅｐｉｘに接続されている。
【００４１】
また、各走査信号線ＧＬ（ｎ）と平行に補助容量線ＣｓＬ（ｎ）が形成されており、各画素形成部Ｐ（ｎ，ｍ）では、画素電極Ｅｐｉｘと補助容量線ＣｓＬ（ｎ）との間に補助容量Ｃｃｓが形成されている。
【００４２】
表示制御回路２００は、外部から送られる表示データ信号ＤＡＴとタイミング制御信号ＴＳとを受け取り、デジタル画像信号ＤＶと、表示部６００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、および補助容量線制御信号Ｓｃｓを出力する。
【００４３】
ソースドライバ３００は、表示制御回路２００から出力されたデジタル画像信号ＤＶ、ソーススタートパルス信号ＳＳＰ、ソースクロック信号ＳＣＫ、およびラッチストローブ信号ＬＳを受け取り、表示部６００内の各画素形成部Ｐ（ｎ，ｍ）の画素容量Ｃｌｃを充電するために駆動用映像信号Ｓ（１）〜Ｓ（Ｍ）を各映像信号線ＳＬ（１）〜ＳＬ（Ｍ）に印加する。このとき、ソースドライバ３００では、ソースクロック信号ＳＣＫのパルスが発生するタイミングで、各映像信号線ＳＬ（１）〜ＳＬ（Ｍ）に印加すべき電圧を示すデジタル画像信号ＤＶが順次に保持される。そして、ラッチストローブ信号ＬＳのパルスが発生するタイミングで、上記保持されたデジタル画像信号ＤＶがアナログ電圧に変換される。
【００４４】
なお、このようなＤ／Ａ変換は、ソースドライバ３００に含まれるＤ／Ａ変換回路（および階調電圧生成回路）により行われる。このＤ／Ａ変換回路は、例えばソースドライバ３００の外部から与えられる階調電圧生成のための基準電圧を分圧することにより、各表示階調に対応するアナログ電圧を生成する。このＤ／Ａ変換回路により生成されたアナログ電圧は、駆動用映像信号として全ての映像信号線ＳＬ（１）〜ＳＬ（Ｍ）に一斉に印加される。すなわち、本実施形態においては、映像信号線ＳＬ（１）〜ＳＬ（Ｍ）の駆動方式には線順次駆動方式が採用される。
【００４５】
ゲートドライバ４００は、表示制御回路２００から出力されたゲートスタートパルス信号ＧＳＰとゲートクロック信号ＧＣＫとに基づいて、各走査信号線ＧＬ（１）〜ＧＬ（Ｎ）にアクティブな走査信号Ｇ（１）〜Ｇ（Ｎ）を順次印加する。
【００４６】
補助容量線駆動回路５００は、表示制御回路２００から出力された補助容量線制御信号Ｓｃｓに基づいて、各補助容量線ＣｓＬ（１）〜ＣｓＬ（Ｎ）に図示されない電源回路から与えられる電位に基づき３段階に電位が変化する補助容量線駆動信号Ｃｓ（１）〜Ｃｓ（Ｎ）を順次印加する。なお、この補助容量線制御信号Ｓｃｓは、例えばゲートスタートパルス信号ＧＳＰおよびゲートクロック信号ＧＣＫに相当するスタートパルス信号およびクロック信号と、極性反転（または上記電位選択）のタイミングを示す信号とを含んでいる。
【００４７】
ここで図２に示される接続関係からわかるように、これら補助容量線ＣｓＬ（１）〜ＣｓＬ（Ｎ）に印加される電圧が変化すると、画素電極Ｅｐｉｘの電位は、共通電極Ｅｃｏｍを基準とするとき、補助容量線ＣｓＬ（ｎ）の電位変化に対して画素容量値と補助容量値との和に対する補助容量の割合に応じて変化する。このことにより共通電位Ｖｃｏｍと各画素形成部における画素電極との電位差を白表示の場合には大きくする（言い換えれば画素電極の電圧をかさ上げする）ことができる。この信号の波形等については後述する。
【００４８】
以上のようにして、各映像信号線ＳＬ（１）〜ＳＬ（Ｍ）に駆動用映像信号が印加され、各走査信号線ＧＬ（１）〜ＧＬ（Ｎ）に走査信号が印加され、各補助容量線ＣｓＬ（１）〜ＣｓＬ（Ｎ）に補助容量線駆動信号が印加されることにより、表示部６００に画像が表示される。なお、共通電極Ｅｃｏｍは、不図示の電源回路により所定電圧の供給を受けて共通電位Ｖｃｏｍに保持される。次に、図３を参照して各種信号の電位変化に付いて説明する。
【００４９】
＜１．２  各種信号の波形＞
図３は、本液晶表示装置における各種信号の波形図である。図３に示されるように、映像信号線ＳＬ（ｍ）に印加される電圧信号である映像信号Ｓ（ｍ）は、０Ｖから４Ｖまでの画素の輝度に応じた所定の電圧値、すなわち正極性の場合には最低輝度（黒輝度）に対応する電圧値を０Ｖとし最高輝度（白輝度）に対応する電圧値を４Ｖとして、また負極性の場合には最低輝度（黒輝度）に対応する電圧値を４Ｖとし最高輝度（白輝度）に対応する電圧値を０Ｖとして、±４Ｖの範囲の電圧値を有している。このように、映像信号Ｓ（ｍ）における最も低い電圧を０Ｖとすることにより、全体として消費電力を抑えることができる。図中では映像信号Ｓ（ｍ）の電圧値は、最高輝度（白輝度）に対応する電圧値（正極性の場合には４Ｖであり負極性の場合には０Ｖ）となっている。
【００５０】
なお前述したように、液晶層は経時劣化を防止するために交流駆動を行う必要から、共通電極の電位Ｖｃｏｍが典型的には固定される場合、その共通電位Ｖｃｏｍは映像信号の（変化幅における）中点電圧に設定されている。そうすれば、共通電極の電位を基準とした画素電極の電位を交流化することができるからである。ここでも共通電位Ｖｃｏｍは２Ｖに設定されている。
【００５１】
もっとも、ノーマリブラック型の液晶表示装置においてその液晶層の透過率を最大にするためには通常４Ｖ〜５Ｖ程度の印加電圧が必要となるので、前述した従来の液晶表示装置と同様に補助容量線ＣｓＬ（ｎ）を駆動することにより、画素電極の電位を変化させる。すなわち、画素電極Ｅｐｉｘの電位は、共通電極Ｅｃｏｍを基準とするとき、補助容量線ＣｓＬ（ｎ）の電位変化に対して画素容量値と補助容量値との和に対する補助容量の割合に応じて変化するので、画素容量値Ｃｌｃと補助容量値Ｃｃｓとの比を２：３に設定するものとすると、補助容量線に与えられる信号（以下この信号を「補助容量線駆動信号」という）Ｃｓ（ｎ）の電位が５Ｖ変化するとき、画素電極Ｅｐｉｘの電位は３Ｖだけ変化することになる。
【００５２】
なお、この補助容量線駆動信号Ｃｓ（ｎ）は、その電位が図３に示されない走査信号Ｇ（ｎ−１）の立ち上がりタイミングで立ち下がり、図３に示される走査信号Ｇ（ｎ＋１）の立ち下がりタイミングで立ち上がるよう、補助容量線制御信号Ｓｃｓに基づいて、補助容量線駆動回路５００により生成される。もちろん、補助容量線駆動信号Ｃｓ（ｎ）の電位変化は、上記態様に限定されるわけではなく、走査信号Ｇ（ｎ）の立ち下がり後に立ち上がる波形であればよい。
【００５３】
ここで、本液晶表示装置は、従来の液晶表示装置とは異なり、各補助容量線の電位は、画素電極の極性に応じて２Ｖを基準に当該基準電圧から５Ｖまたは−５Ｖだけ上下に変化するように、その電位の種類は２Ｖ、７Ｖ、−３Ｖに設定されている。このように各補助容量線の電位のうち基準となる電位（以下「ベース電位」という）が２Ｖに設定されていることにより、当該ベース電位が０Ｖに設定される従来の場合よりも補助容量線の駆動に大きな消費電力が必要になるというデメリットを有している。
【００５４】
しかし、このように上記各補助容量線のベース電位を共通電位Ｖｃｏｍと同一の２Ｖに設定することにより、画素電極と補助容量線との短絡不良が生じる場合であっても、補助容量線の電位が０Ｖであるほとんどの期間において共通電極と補助容量線との電位差は生じない。したがって、この短絡不良によっても補助容量線の電位がベース電位であるほとんどの期間において輝点が表示されず、使用者に不快感を与えない。このような短絡不良は前述したようにゲート絶縁膜がまれに欠損することにより生じることがあるので、短絡不良が生じた場合にも目立った表示不良が生じない上記構成により、表示装置の表示品位を高めることができる。
【００５５】
また、各補助容量線のベース電位を共通電位Ｖｃｏｍと同一の２Ｖに設定することにより、共通電位を生成する電源回路を共有することができるので、電源回路の構成を簡易なものとし、かつ効率よく電源を形成することができるため消費電力を低減することができる。
【００５６】
さらに、図３では、対応する走査信号線と画素電極との寄生容量に応じた走査信号線の電位変化による画素電極電位の変化を一切考慮していないが、実際にはこの変化に応じて共通電位Ｖｃｏｍを各液晶表示装置毎に、例えば可変抵抗からなる図示されない共通電位調整部により個別に調整する必要があることも多い。この場合に各補助容量線のベース電位を（共通電位調整部から出力される）共通電位と同一とすることにより、上記調整の程度にかかわらずどのような液晶表示装置においても表示品位を高めることができる。
【００５７】
なお、走査信号線と画素電極との寄生容量に応じた走査信号線の電位変化による画素電極電位の変化を考慮する場合、例えば走査信号Ｇ（ｎ）におけるパルスの立ち下がり（の電位変化）により画素形成部Ｐ（ｎ，ｍ）における画素電極Ｅｐｉｘの電位が０．３Ｖ低下する場合には、上記寄生容量による変化を考慮して上記設定電位をそれぞれ６．５Ｖ、−３．５Ｖとすればよい。なおこのような寄生容量による変化については第３の実施形態において具体的に説明する。
【００５８】
また図３に示されるように、画素形成部Ｐ（ｎ，ｍ）の画素電極電位は、走査信号Ｇ（ｎ）が（ＴＦＴ１０をオンさせる）アクティブ状態から非アクティブ状態となった時点において４Ｖに保持されるが、その後の補助容量線駆動信号Ｃｓ（ｎ）における上記電位変化によりさらに３Ｖ上昇して７Ｖとなっている。したがって、共通電位Ｖｃｏｍが２Ｖであることから、この時点での液晶層への印加電圧は５Ｖとなる。この印加電圧が次のフレームにおける表示時点まで保持されることにより、
上記印加電圧に応じた輝度で画素表示が行われる。
【００５９】
このような動作は図３に示されるように、前述したライン反転駆動方式により極性が反転される次行の画素形成部Ｐ（ｎ＋１，ｍ）および極性が反転される次フレームの画素形成部Ｐ（ｎ，ｍ）においても同様となる。
【００６０】
＜１．３  第１の実施形態の効果＞
以上のように、本実施形態では、３段階に変化する上記各補助容量線の電位のうちその基準となる（中央の）ベース電位を共通電位Ｖｃｏｍと同一に設定することにより、画素電極と補助容量線との短絡不良が生じる場合であっても、補助容量線の電位が共通電位Ｖｃｏｍと同一であるほとんどの期間、すなわち補助容量線の電位がベース電位でない所定期間を除くほとんどの期間において輝点が表示されず、表示装置の表示品位を高めることができる。
【００６１】
＜２．  第２の実施形態＞
＜２．１  装置の構成および動作＞
図４は、本発明の第２の実施形態に係るアクティブマトリクス型液晶表示装置の全体構成を示すブロック図である。この液晶表示装置は、図１に示される第１の実施形態の場合と同様、表示制御回路２００、ソースドライバ（映像信号線駆動回路）３００、ゲートドライバ（走査信号線駆動回路）４００、および補助容量線駆動回路５２０からなる駆動制御部と、表示部６００とを備えるとともに、第１の実施形態において図示されていない共通電位調整部７００と電源部８００とをさらに備えている。なお、これら共通電位調整部７００および電源部８００は、第１の実施形態における構成でも通常備えられているが、本実施形態ではこれらに特徴があるため図示されている。
【００６２】
このように本実施形態では、第１の実施形態の構成とは、共通電位調整部７００および電源部８００が備えられる点が異なり、また出力信号の電位が異なる補助容量線駆動回路５２０の動作が異なり、その他の構成要素は第１の実施形態の場合と同様であるので、同様の構成要素には同一の符号を付してその説明を省略する。
【００６３】
図４に示されるように、電源部８００は、１Ｖおよび３Ｖの電圧を出力する端子を有しており、その両方を共通電位調整部７００に与え、その一方を（ここでは３Ｖの電圧を）補助容量線駆動回路５２０に与える。なお、このような定電圧源である電源部８００の回路構成は周知であるので詳しい説明は省略する。また、電源部８００は、上記電圧の他の電圧や、他の構成要素に与えるべき電圧を出力するが、これらについても周知であるためその説明を省略する。
【００６４】
共通電位調整部７００は、３端子の可変抵抗器からなり、その両端の端子には１Ｖおよび３Ｖの電圧が与えられ、その中央の端子からは表示装置の個体差に応じて適切な共通電位となるよう調整された２Ｖ近傍の電圧値が出力される。
【００６５】
補助容量線駆動回路５２０は、図３に示される補助容量線駆動信号Ｃｓ（ｎ）と同様の波形であって、その電圧値が異なる補助容量線駆動信号Ｃｓ（ｎ）を各補助容量線に与える。この補助容量線駆動信号Ｃｓ（ｎ）におけるベース電位は、第１の実施形態の場合とは異なり、上記電源部８００から与えられる３Ｖであり、補助容量線の電位は、この３Ｖを中心として±５Ｖの電位差がある８Ｖおよび−２Ｖに変化する。
【００６６】
このように３段階の電圧は、第１の実施形態の場合に比べて１Ｖずつ高いだけあって各部の動作は第１の実施形態の場合と同様であるが、第１の実施形態の場合とは異なってこのベース電位が２Ｖである共通電位Ｖｃｏｍと一致していない。しかし、このように上記各補助容量線のベース電位を共通電位Ｖｃｏｍとが異なる場合であっても、その差が１Ｖ程度である場合には、画素電極と補助容量線との短絡不良が生じる場合であっても、補助容量線の電位がベース電位であるほとんどの期間において輝点が生じない。このことにつ
いて図５を参照して説明する。
【００６７】
図５は、液晶層への印加電圧とその光の透過率との関係を示す図である。なお、図の縦軸は光の透過率［％］を表し、横軸は印加電圧［Ｖ］を表している。この図５を参照すると、液晶層に１Ｖ程度までの電圧を印加してもほとんど光は透過しない（光の透過率が０％からほとんど変化しない）ことがわかる。このように光の透過率が０％程度で０％からの変化がほとんど視覚されない液晶への最大の印加電圧は、液晶しきい電圧と呼ばれる。したがって、ベース電位と共通電位Ｖｃｏｍとの差が液晶しきい電圧である１Ｖ程度以内である場合には、０Ｖである場合と同様、ほとんどの期間において輝点が生じない。なお、この図５に示す関係は一例であって、例えば光の透過率が１００％となる印加電圧が４Ｖである場合など、液晶の組成等によりこれらの値は異なるが、どのような液晶でも所定のしきい電圧以下では光の透過率がほとんど変化しないのが一般的である。
【００６８】
また、補助容量線駆動回路５２０は、共通電位調整部７００からではなく、電源部８００から直接ベース電位に対応する電圧（ここでは３Ｖ）を受け取るので、共通電位調整部７００に通常備えられる図示されないバッファにかかる負荷を大きくすることがない。さらに、新たにベース電圧に対応する電圧を生成する必要がないので、電源部８００の構成を簡易なものとすることができる。
【００６９】
＜２．２  第２の実施形態の効果＞
以上のように、本実施形態では、３段階に変化する上記各補助容量線の電位のうちその基準となる（中央の）ベース電位を共通電位Ｖｃｏｍから１Ｖ程度以内の差しかない（液晶層の透過率がほとんど変化しない）電位に設定することにより、画素電極と補助容量線との短絡不良が生じる場合であっても、補助容量線の電位がベース電位であるほとんどの期間において輝点が表示されず、表示装置の表示品位を高めることができる。
【００７０】
また、補助容量線駆動回路５２０は、電源部８００から共通電位調整部７００に与えるべき電圧を、ベース電位に対応する電圧として電源部８００から直接受け取るので、共通電位調整部７００のバッファにかかる負荷を大きくすることがなく、さらに電源部８００の構成を簡易なものとすることができる。
【００７１】
＜３．  第３の実施形態＞
＜３．１  装置の構成および動作＞
図６は、本発明の第３の実施形態に係るアクティブマトリクス型液晶表示装置の全体構成を示すブロック図である。この液晶表示装置は、図４に示される第２の実施形態の場合と同様、表示制御回路２００、ソースドライバ（映像信号線駆動回路）３００、ゲートドライバ（走査信号線駆動回路）４００、および補助容量線駆動回路５３０からなる駆動制御部と、表示部６００と、共通電位調整部７００と、電源部８００とを備えている。また、図７は、本液晶表示装置における各種信号の波形図である。
【００７２】
このように本実施形態では、第２の実施形態の構成とは、出力信号の波形等が異なる補助容量線駆動回路５３０の動作とこれに与えられる電圧が異なるほか、その他の構成要素は第２の実施形態の場合と同様であるので、同様の構成要素には同一の符号を付してその説明を省略する。
【００７３】
図６に示されるように、電源部８００は、第２の実施形態の場合と同様に１Ｖおよび３Ｖの電圧を出力する端子を有しているが、その両端子からの電圧を共通電位調整部７００のみならず補助容量線駆動回路５２０にも与える。
【００７４】
補助容量線駆動回路５３０は、第１および第２の実施形態の場合とは異なり、２段階に電位が変化する図７に示される補助容量線の電位Ｃｓ（ｎ）を出力する。図７に示されるように、この補助容量線の電位Ｃｓ（ｎ）は、上記電源部８００の２つの端子からそれぞれ与えられる１Ｖまたは３Ｖであり、補助容量線の電位は、この２つの値を交互にとるよう変化する。このように補助容量線駆動回路５２０は、電源部８００から共通電位調整部７００に与えられる電圧と同一の電圧を受け取るので、新たに補助容量線駆動回路５３０に与えるべき電圧を生成する必要がないので、電源部８００の構成を簡易なものとすることができる。
【００７５】
なお、この補助容量線駆動信号Ｃｓ（ｎ）は、図７に示されるようにその電位が走査信号Ｇ（ｎ）の立ち下がりタイミングから所定期間後に変化するが、このタイミングや図７に示される波形などに限定はなく、走査信号Ｇ（ｎ）の立ち下がり後に変化すればよい。
【００７６】
次に、映像信号Ｓ（ｍ）について説明する。図７に示されるように、映像信号線ＳＬ（ｍ）に印加される電圧信号である映像信号Ｓ（ｍ）は、０Ｖから５Ｖまでの画素の輝度に応じた所定の電圧値を有している。このように、映像信号Ｓ（ｍ）における最も低い電圧を０Ｖとすることにより、全体として消費電力を抑えることができる。図中では映像信号Ｓ（ｍ）の電圧値は、最高輝度（白輝度）に対応する電圧値（０Ｖまたは５Ｖ）となっている。
【００７７】
ここで前述したように、本実施形態の場合でも液晶層の経時劣化を防止するための交流駆動は必要であるが、共通電位Ｖｃｏｍは映像信号の（変化幅における）中点電圧である２．５Ｖに設定されておらず、共通電位Ｖｃｏｍは２Ｖに設定されている。これは対応する走査信号線と画素電極との寄生容量に応じた走査信号線の電位変化による画素電極電位の変化を考慮しているためである。以下、この点について詳述する。
【００７８】
図７に示されるように、画素形成部Ｐ（ｎ，ｍ）の画素電極電位は、走査信号Ｇ（ｎ）が最初に（ＴＦＴ１０をオンさせる）アクティブ状態となった時点においては５Ｖであるが、その後に走査信号Ｇ（ｎ）が非アクティブ状態となる時点（すなわちパルスの立ち下がり時点）で０．５Ｖ低下し、４．５Ｖに保持される。これは走査信号線ＧＬ（ｎ）の電位が上記のように立ち下がると、走査信号線と画素電極との寄生容量により画素電極電位が低下するためである。
【００７９】
その後、第１の実施形態の場合と同様に補助容量線駆動信号Ｃｓ（ｎ）を変化させることにより、画素電極の電位を変化させる。ただし、第１の実施形態の場合とは異なり、ここでは液晶層の透過率を最大にするために４Ｖ程度の印加電圧で足り、また画素容量値Ｃｌｃと補助容量値Ｃｃｓとの比はここでは１：３に設定されるものとする。したがって、補助容量線駆動信号Ｃｓ（ｎ）の電位が２Ｖ変化するとき、画素形成部Ｐ（ｎ，ｍ）の画素電極Ｅｐｉｘの電位は４．５Ｖから１．５Ｖだけ変化した６Ｖで保持されることになる。
【００８０】
その後、次のフレームにおいても同様に、画素形成部Ｐ（ｎ，ｍ）の画素電極電位は、走査信号Ｇ（ｎ）が次にアクティブ状態となった時点において０Ｖとなり、その後に走査信号Ｇ（ｎ）が非アクティブ状態となる時点（すなわちパルスの立ち下がり時点）で０．５Ｖ低下し、−０．５Ｖに保持される。そして同様に補助容量線駆動信号Ｃｓ（ｎ）の電位が３Ｖから−２Ｖだけ変化するので、画素形成部Ｐ（ｎ，ｍ）の画素電極の電位は−０．５Ｖから１．５Ｖ低下した−２Ｖで保持されることになる。以上のように画素形成部Ｐ（ｎ，ｍ）の画素電極電位は結果的には共通電位Ｖｃｏｍを中点電位として±４Ｖの範囲内で交流駆動される。なおこのような動作は、前述したライン反転駆動方式により極性が反転される次行の画素形成部Ｐ（ｎ＋１，ｍ）においても同様となる。
【００８１】
このように補助容量線駆動信号の電圧は、第２の実施形態の場合と同様に２Ｖである共通電位Ｖｃｏｍと一致していないが、その差が液晶しきい電圧である１Ｖ程度である場合には、画素電極と補助容量線との短絡不良が生じる場合であっても輝点が生じない。このことについては図５を参照して説明したとおりである。
【００８２】
＜３．２  第３の実施形態の効果＞
以上のように、本実施形態では、２段階に変化する上記各補助容量線の電位を共通電位Ｖｃｏｍから１Ｖ程度以内の差しかない（液晶層のほとんど透過率が変化しない）電位に設定することにより、画素電極と補助容量線との短絡不良が生じる場合であっても、補助容量線の電位が液晶しきい電圧以下である全期間において輝点が表示されず、表示装置の表示品位を高めることができる。
【００８３】
また、２段階に変化する上記各補助容量線の電位を、電源部８００から共通電位調整部７００に与えられる電位と同一にするので、新たに補助容量線駆動回路５３０に与えるべき電圧を生成する必要がなく、電源部８００の構成を簡易なものとすることができる。
【００８４】
＜４.  変形例＞
上記各実施形態では共通電位Ｖｃｏｍが一定電位に固定されているが、この共通電位Ｖｃｏｍは必ずしも一定である必要はなく変動してもよい。例えば、第２の実施形態において、変動する共通電位Ｖｃｏｍとベース電位との電位差が１Ｖ程度以内の差しかない（液晶層の透過率がほとんど変化しない）場合には、画素電極と補助容量線との短絡不良が生じる場合であっても、補助容量線の電位がベース電位であるほとんどの期間において輝点が表示されず、表示装置の表示品位を高めることができる。
【００８５】
上記第２の実施形態ではベース電位を、上記第３の実施形態では補助容量線駆動信号の２種類の電位をともに共通電位Ｖｃｏｍから１Ｖ程度以内の差しかない、すなわち液晶層の透過率がほとんど変化しない液晶しきい電圧以下に設定する構成であるが、これらの電位は共通電位Ｖｃｏｍ近傍の値であればこれから１Ｖ程度より大きく離れていてもよい。この場合には液晶の透過率がやや変化するので、結果的に所定輝度の輝点が表示されるが、その輝度が大きくならないことから、使用者に大きな不快感を与えることがなく、表示装置の表示品位を或る程度高めることができる。
【００８６】
また、上記第３の実施形態において、２段階に変化する補助容量線の電位のうちの一方のみを共通電位Ｖｃｏｍから１Ｖ程度以内の差しかない電位に設定してもよい。この場合には半分の期間で液晶の透過率がやや変化するので、結果的に半分の期間では所定輝度の輝点が表示されるが、その輝度が大きくならず、表示期間も半分となるので、使用者に大きな不快感を与えることがなく、表示装置の表示品位を或る程度高めることができる。
【００８７】
上記第２の実施形態において、補助容量線駆動回路５２０は、電源部８００から共通電位調整部７００に与えるべき電圧をベース電位に対応する電圧として電源部８００から直接受け取る構成であるが、共通電位Ｖｃｏｍから１Ｖ程度以内の差を有する電圧を受け取る構成であれば、必ずしも共通電位調整部７００に与えるべき電圧でなくてもよい。この場合であっても共通電位調整部７００のバッファにかかる負荷を大きくすることがないという効果を奏する。
【００８８】
上記第３の実施形態において、２段階に変化する補助容量線の電位を、電源部８００から共通電位調整部７００に与えるべき電圧と同一にして電源部８００から直接受け取る構成であるが、上記２種類の電位のうち１種類をのみを共通電位調整部７００に与えるべき電圧と同一にして電源部８００から受け取る構成であってもよい。その場合であっても当該電位を新たに生成する必要はないので、電源部８００の構成をその限りで簡易なものとすることができる。
【図面の簡単な説明】
【００８９】
【図１】本発明の第１の実施形態に係る液晶表示装置の全体構成を示すブロック図である。
【図２】上記実施形態における画素形成部の等価回路を示す回路図である。
【図３】上記実施形態における各種信号の波形図である。
【図４】本発明の第２の実施形態に係る液晶表示装置の全体構成を示すブロック図である。
【図５】上記実施形態における液晶層への印加電圧とその光の透過率との関係を示す図である。
【図６】本発明の第３の実施形態に係る液晶表示装置の全体構成を示すブロック図である。
【図７】上記実施形態における各種信号の波形図である。
【図８】従来の液晶表示装置における各種信号の波形図である。
【符号の説明】
【００９０】
１０          …ＴＦＴ（スイッチング素子）
２００        …表示制御回路
３００        …ソースドライバ
４００        …ゲートドライバ
５００，５２０，５３０  …補助容量線駆動回路
６００        …表示部
７００        …共通電位調整部
８００        …電源部
Ｅｃｏｍ      …共通電極
Ｅｐｉｘ      …画素電極
ＧＬ（ｎ）    …走査信号線（ｎ＝１〜Ｎ）
Ｇ（ｎ）      …走査信号（ｎ＝１〜Ｎ）
ＣｓＬ（ｎ）  …補助容量線（ｎ＝１〜Ｎ）
Ｃｓ（ｎ）    …補助容量線駆動信号（ｎ＝１〜Ｎ）
ＳＬ（ｍ）    …データ信号線（ｍ＝１〜Ｍ）
Ｐ（ｎ，ｍ）  …画素形成部（ｎ＝１〜Ｎ、ｍ＝１〜Ｍ）
【図１】
2008164667.tif 000003
【図２】
2008164667.tif 000004
【図３】
2008164667.tif 000005
【図４】
2008164667.tif 000006
【図５】
2008164667.tif 000007
【図６】
2008164667.tif 000008
【図７】
2008164667.tif 000009
【図８】
2008164667.tif 000010